(57)【特許請求の範囲】
【請求項１】
それぞれが独立したサービスエリアを持つ複数の無線基地局と、この複数の無線基地局のそれぞれのサービスエリア内にあって前記それぞれのサービスエリアを管轄する無線基地局の無線の制御を受ける複数の携帯電話機と、前記複数の無線基地局と有線伝送路で接続しまた公衆電話網を介して複数の固定電話機に接続して内蔵する中央制御部の制御の基に通話路の接続処理を行う移動体通信交換局とを備えて発信者番号通知サービスを提供する移動体通信システムにおいて、
前記移動体通信交換局に接続して前記中央制御部が発信元の前記携帯電話機または前記固定電話機からの着信を検出し且つ前記発信元から送信される発信者番号通知サービスを提供するための予め定められた第１のアクセス番号を受信した場合に発信者へ相手先の電話番号の入力を催促するための音声ガイダンスを送出する音声応答装置を有し、前記着信を検出して前記第１のアクセス番号を受信した前記移動体通信交換局は前記発信者の携帯電話機又は固定電話機から前記音声応答装置の前記ガイダンスに応答して入力される前記相手先の電話番号を受信すると前記相手先への通話路を設定して前記相手先へ呼出音で報知させない予め定められた特殊呼出信号と前記発信者の電話番号とを送出することを特徴とする移動体通信システム。
【請求項２】
前記携帯電話機は、音，光および振動を含む複数種類の報知手段の一つ又は組合せによって着信時に報知を行う報知部と、前記予め定められた第１のアクセス番号および相手先の電話番号の各番号の入力及び前記複数種類の報知手段の選択設定の入力を行う入力部と、この入力部から入力された前記各番号の表示及び着信時に発信者の電話番号の表示を行う表示部と、前記携帯電話機を制御するプログラムを格納している記憶部と、実時刻データを発生する時計部と、着信時に前記発信者の電話番号を記憶する着信履歴メモリと、前記記憶部に格納されている制御プログラムの基に前記携帯電話機全体を制御する制御部とを有し、
前記制御部は着信時に前記移動体通信交換局から送出される前記特殊呼出信号を検出すると前記報知手段を起動させないで受信した発信者の電話番号を前記表示部に表示すべく制御することを特徴する請求項１記載の移動体通信システム。
【請求項３】
前記制御部は着信時に前記受信した発信者の電話番号を前記着信時の実時刻データと共に着信順に前記着信履歴メモリに記録し、且つ前記記録した複数の発信者の電話番号のそれぞれに対応して応答したことの有無も前記着信履歴メモリに記録することを特徴とする請求項２記載の移動体通信システム。
【請求項４】
それぞれが独立したサービスエリアを持つ複数の無線基地局と、この複数の無線基地局のそれぞれのサービスエリア内にあって前記それぞれのサービスエリアを管轄する無線基地局の無線の制御を受ける複数の携帯電話機と、前記複数の無線基地局と有線伝送路で接続しまた公衆電話網を介して複数の固定電話機に接続して内蔵する中央制御部の制御の基に通話路の接続処理を行う移動体通信交換局とを備えて発信者番号通知サービスを提供する移動体通信システムにおいて、
前記移動体通信交換局に接続して前記中央制御部が発信元の前記携帯電話機または前記固定電話機からの着信を検出し且つ前記発信元から送信されるメッセージ録音付きの発信者番号通知サービスを提供するための予め定められた第２のアクセス番号を受信した場合に、発信者へ相手先の電話番号の入力を催促する音声ガイダンスを行い、また留守番録音装置が接続されたときに前記相手先へのメッセージの録音開始の音声ガイダンスを行う音声応答装置と、前記発信者から前記発信者の電話番号に続いて送信される前記相手先へのメッセージを録音する前記留守電録音装置とを有し、
前記着信を検出し前記第２のアクセス番号を受信した前記移動体通信交換局は前記発信者の携帯電話機又は固定電話機から前記音声応答装置の前記ガイダンスに応答して入力される前記相手先の電話番号を受信すると前記留守電装置を接続して前記音声応答装置の音声ガイダンスの基に前記相手先の電話番号と共に前記相手先へのメッセージを録音させ、前記携帯電話機は前記留守電録音装置への接続の予め定められた電話番号を送出した場合に前記移動体通信交換局から送出される前記発信者の電話番号を受信して前記表示部に表示し、且つ前記発信者の電話番号に対応するメッセージを受信し通話手段で聞くことができることを特徴とする移動体通信システム。
【請求項５】
それぞれが独立したサービスエリアを持つ複数の無線基地局と、この複数の無線基地局のそれぞれのサービスエリア内にあって前記それぞれのサービスエリアを管轄する無線基地局の無線の制御を受ける複数の携帯電話機と、前記複数の無線基地局と有線伝送路で接続しまた公衆電話網を介して複数の固定電話機に接続して内蔵する中央制御部の制御の基に通話路の接続処理を行う移動体通信交換局とを備えて発信者番号通知サービスを提供する移動体通信システムにおいて、
前記中央制御部は発信元の前記携帯電話機または前記固定電話機からの着信を検出し、前記発信元から送信される発信者番号通知サービスを提供するための予め定められた第１のアクセス番号を受信すると、音声応答装置を接続し、前記音声応答装置から前記第１のアクセス番号を発信した発信者へ呼出す相手先の電話番号を入力させるガイダンスを送出させ、前記発信者の端末から前記相手先の電話番号を受信すると、前記無線基地局を介して前記相手先の携帯電話機までの通話路を形成し、前記相手先の携帯電話機を音によって呼出さず前記発信者の電話番号を前記相手先の携帯電話機の表示部に表示を行うことを示す予め定められた特殊呼出信号を送出して、前記中央制御部の処理は終了し、前記特殊呼出信号を受信した前記相手先の携帯電話記の制御部は、着信信号を受信すると、前記着信信号を解析して前記特殊呼出信号であることを検出すると、報知部による音による着信報知をしないで、表示部に受信した前記発信者の電話番号を表示し、着信履歴メモリに着信時刻と共に前記発信者の電話番号を記録することを特徴とする移動体通信システムの携帯電話機への着信通知方法。
【請求項６】
それぞれが独立したサービスエリアを持つ複数の無線基地局と、この複数の無線基地局のそれぞれのサービスエリア内にあって前記それぞれのサービスエリアを管轄する無線基地局の無線の制御を受ける複数の携帯電話機と、前記複数の無線基地局と有線伝送路で接続しまた公衆電話網を介して複数の固定電話機に接続して内蔵する中央制御部の制御の基に通話路の接続処理を行う移動体通信交換局とを備えて発信者番号通知サービスを提供する移動体通信システムにおいて、
前記中央制御部は発信元の前記携帯電話機または前記固定電話機からの着信を検出し、前記発信元から送信される発信者番号通知サービスとメッセージの録音を提供するための予め定められた第２のアクセス番号を受信すると、音声応答装置を接続し、前記音声応答装置から前記第２のアクセス番号を発信した発信者へ呼出する相手先の電話番号を入力させる第１のガイダンスを送出させ、前記発信者の端末から前記相手先の電話番号を受信すると、留守電録音装置を接続し、前記音声応答装置からメッセージ録音のための第２のガイダンスを送出させ、前記発信者からの前記相手先の電話番号とメッセージを受信して前記留守電録音装置に録音させて前記中央制御部の処理は終了し、前記相手先の前記携帯電話機は前記留守電録音装置への予め定められた電話番号を発信し自己宛の前記メッセージの読み出しを要求すると、前記留守電録音装置から前記メッセージを送信した発信者の電話番号を受信して表示し、表示された前記発信者の電話番号に対応するメッセージを受信して聞くことができることを特徴とする移動体通信システムの携帯電話機への着信通知方法。
【発明の詳細な説明】
【０００１】
【発明の属する技術分野】
本発明は移動体通信システムとその携帯電話機への着信通知方法に関し、特に発信者番号通知サービスを提供する移動通信システムとその携帯電話機への着信通知方法に関する。
【０００２】
【従来の技術】
この種の従来の発信者番号通信サービスを提供する通信システムの端末側の着信処理について図面を参照して説明する。
【０００３】
図８は従来システムにおけるＰＨＳ携帯電話機を示すブロック図、図９は図８に示したＰＨＳ携帯電話機における発信者番号表示モード処理例を示すフローチャートである。
【０００４】
図８及び図９において、この従来システムにおけるＰＨＳ携帯電話機は、特開平１０−３０８８１２公報の開示内容を示し、発信者番号表示モードが設定されている場合、着呼があると（Ｓ１００）、ＣＰＵ１１６は、その際に発信者番号を受信したか否かを確認する（Ｓ１０２）。発信者番号を受信していれば、ＣＰＵ１１６は、これをＲＡＭ１１６ｂに記憶して、表示部１２６に発信者番号表示（発番号表示）を行う（Ｓ１１２）。
【０００５】
一方、発信者番号を着呼時に受信しなかった場合、ＣＰＵ１１６は、自動応答の処理を行い（Ｓ１０４）、「Ｔｅｌ  Ｎｏ．を入力して下さい」等の応答メッセージを発呼者に送出する（Ｓ１０６）。なお、この場合、Ｔｅｌ  Ｎｏ．の最後に＊を付加するようにすれば、Ｔｅｌ  Ｎｏ．の最後を容易に判別することが可能となる。ステップＳ１０６の応答のメッセージにより、発呼者側端末よりＤＴＭＦ信号にて「Ｔｅｌ  Ｎｏ．」と「＊」が送られてきたことをＣＰＵ１１６が検出すると（Ｓ１０８）、この「Ｔｅｌ  Ｎｏ．」をＲＡＭ１１６ｂに記憶する（Ｓ１１０）。そして、着呼時に発信者番号を受信したときに同様に、ＣＰＵ１６は表示部２６に発番号表示を行う（Ｓ１１２）。
【０００６】
ステップＳ１１６の発番号表示を行った後、ＣＰＵ１６は着信リンガーを鳴動させ（Ｓ１１４）、着呼があったことを操作者に知らせる。これにより操作者がオフフックすれば、通話リンクが設定されて発呼者と通話状態となる（Ｓ１１８）。
【０００７】
【発明が解決しようとする課題】
この従来例においては、ＰＨＳ携帯電話機が発信者番号表示モードに設定されていた場合、着信時に発信者番号を受信すると表示部に発信者番号の表示を行った後、着信リンガーを鳴動させるようになっているので、例えば、このＰＨＳ携帯電話機が会議室や電車内に持込まれた場合に、着信があると、着信リンガーの鳴動によって、他人に迷惑をかけるというという問題点がある。
【０００８】
また、このＰＨＳ携帯電話機において、たとえ着信時の報知として、音以外（光や振動等）によって、報知でき手段を有したとしても、音以外の報知に設定することを怠ると、その目的を達することができないという問題点がある。
【０００９】
（発明の目的）
本発明の目的は、携帯電話機等の端末側で音以外の報知を設定しなくても、発信者側から着信を音で報知させないように発信時に予め定められたアクセス番号を発信することにより、交換機側から特殊呼出信号の送信によって、その特殊呼出信号を検出して受信した携帯電話機等の端末側では着信を音で報知しないで発信者番号を表示する移動通信システムとその携帯電話機への着信通知方法を提供することにある。
【００１０】
【課題を解決するための手段】
本発明の移動体通信システムは、それぞれが独立したサービスエリアを持つ複数の無線基地局と、この複数の無線基地局のそれぞれのサービスエリア内にあって前記それぞれのサービスエリアを管轄する無線基地局の無線の制御を受ける複数の携帯電話機と、前記複数の無線基地局と有線伝送路で接続しまた公衆電話網を介して複数の固定電話機に接続して内蔵する中央制御部の制御の基に通話路の接続処理を行う移動体通信交換局とを備えて発信者番号通知サービスを提供する移動体通信システムにおいて、
前記移動体通信交換局に接続して前記中央制御部が発信元の前記携帯電話機または前記固定電話機からの着信を検出し且つ前記発信元から送信される発信者番号通知サービスを提供するための予め定められた第１のアクセス番号を受信した場合に発信者へ相手先の電話番号の入力を催促するための音声ガイダンスを送出する音声応答装置を有し、前記着信を検出して前記第１のアクセス番号を受信した前記移動体通信交換局は前記発信者の携帯電話機又は固定電話機から前記音声応答装置の前記ガイダンスに応答して入力される前記相手先の電話番号を受信すると前記相手先への通話路を設定して前記相手先へ呼出音で報知させない予め定められた特殊呼出信号と前記発信者の電話番号とを送出することを特徴とする。また、前記携帯電話機は、音，光および振動を含む複数種類の報知手段の一つ又は組合せによって着信時に報知を行う報知部と、前記予め定められた第１のアクセス番号および相手先の電話番号の各番号の入力及び前記複数種類の報知手段の選択設定の入力を行う入力部と、この入力部から入力された前記各番号の表示及び着信時に発信者の電話番号の表示を行う表示部と、前記携帯電話機を制御するプログラムを格納している記憶部と、実時刻データを発生する時計部と、着信時に前記発信者の電話番号を記憶する着信履歴メモリと、前記記憶部に格納されている制御プログラムの基に前記携帯電話機全体を制御する制御部とを有し、
前記制御部は着信時に前記移動体通信交換局から送出される前記特殊呼出信号を検出すると前記報知手段を起動させないで受信した発信者の電話番号を前記表示部に表示すべく制御することを特徴する。
また、前記制御部は着信時に前記受信した発信者の電話番号を前記着信時の実時刻データと共に着信順に前記着信履歴メモリに記録し、且つ前記記録した複数の発信者の電話番号のそれぞれに対応して応答したことの有無も前記着信履歴メモリに記録することを特徴とする。
【００１１】
それぞれが独立したサービスエリアを持つ複数の無線基地局と、この複数の無線基地局のそれぞれのサービスエリア内にあって前記それぞれのサービスエリアを管轄する無線基地局の無線の制御を受ける複数の携帯電話機と、前記複数の無線基地局と有線伝送路で接続しまた公衆電話網を介して複数の固定電話機に接続して内蔵する中央制御部の制御の基に通話路の接続処理を行う移動体通信交換局とを備えて発信者番号通知サービスを提供する移動体通信システムにおいて、
前記移動体通信交換局に接続して前記中央制御部が発信元の前記携帯電話機または前記固定電話機からの着信を検出し且つ前記発信元から送信されるメッセージ録音付きの発信者番号通知サービスを提供するための予め定められた第２のアクセス番号を受信した場合に、発信者へ相手先の電話番号の入力を催促する音声ガイダンスを行い、また留守番録音装置が接続されたときに前記相手先へのメッセージの録音開始の音声ガイダンスを行う音声応答装置と、前記発信者から前記発信者の電話番号に続いて送信される前記相手先へのメッセージを録音する前記留守電録音装置とを有し、
前記着信を検出し前記第２のアクセス番号を受信した前記移動体通信交換局は前記発信者の携帯電話機又は固定電話機から前記音声応答装置の前記ガイダンスに応答して入力される前記相手先の電話番号を受信すると前記留守電装置を接続して前記音声応答装置の音声ガイダンスの基に前記相手先の電話番号と共に前記相手先へのメッセージを録音させ、  前記携帯電話機は前記留守電録音装置への接続の予め定められた電話番号を送出した場合に前記移動体通信交換局から送出される前記発信者の電話番号を受信して前記表示部に表示し、且つ前記発信者の電話番号に対応するメッセージを受信し通話手段で聞くことができることを特徴とする。
【００１２】
本発明の移動体通信システムの携帯電話機への着信方法は、それぞれが独立したサービスエリアを持つ複数の無線基地局と、この複数の無線基地局のそれぞれのサービスエリア内にあって前記それぞれのサービスエリアを管轄する無線基地局の無線の制御を受ける複数の携帯電話機と、前記複数の無線基地局と有線伝送路で接続しまた公衆電話網を介して複数の固定電話機に接続して内蔵する中央制御部の制御の基に通話路の接続処理を行う移動体通信交換局とを備えて発信者番号通知サービスを提供する移動体通信システムにおいて、
前記中央制御部は発信元の前記携帯電話機または前記固定電話機からの着信を検出し、前記発信元から送信される発信者番号通知サービスを提供するための予め定められた第１のアクセス番号を受信すると、音声応答装置を接続し、前記音声応答装置から前記第１のアクセス番号を発信した発信者へ呼出す相手先の電話番号を入力させるガイダンスを送出させ、前記発信者の端末から前記相手先の電話番号を受信すると、前記無線基地局を介して前記相手先の携帯電話機までの通話路を形成し、前記相手先の携帯電話機を音によって呼出さず前記発信者の電話番号を前記相手先の携帯電話機の表示部に表示を行うことを示す予め定められた特殊呼出信号を送出して、前記中央制御部の処理は終了し、前記特殊呼出信号を受信した前記相手先の携帯電話記の制御部は、着信信号を受信すると、前記着信信号を解析して前記特殊呼出信号であることを検出すると、報知部による音による着信報知をしないで、表示部に受信した前記発信者の電話番号を表示し、着信履歴メモリに着信時刻と共に前記発信者の電話番号を記録することを特徴とする。
【００１３】
本発明の移動体通信システムの携帯電話機への着信方法は、それぞれが独立したサービスエリアを持つ複数の無線基地局と、この複数の無線基地局のそれぞれのサービスエリア内にあって前記それぞれのサービスエリアを管轄する無線基地局の無線の制御を受ける複数の携帯電話機と、前記複数の無線基地局と有線伝送路で接続しまた公衆電話網を介して複数の固定電話機に接続して内蔵する中央制御部の制御の基に通話路の接続処理を行う移動体通信交換局とを備えて発信者番号通知サービスを提供する移動体通信システムにおいて、
前記中央制御部は発信元の前記携帯電話機または前記固定電話機からの着信を検出し、前記発信元から送信される発信者番号通知サービスとメッセージの録音を提供するための予め定められた第２のアクセス番号を受信すると、音声応答装置を接続し、前記音声応答装置から前記第２のアクセス番号を発信した発信者へ呼出する相手先の電話番号を入力させる第１のガイダンスを送出させ、前記発信者の端末から前記相手先の電話番号を受信すると、留守電録音装置を接続し、前記音声応答装置からメッセージ録音のための第２のガイダンスを送出させ、前記発信者からの前記相手先の電話番号とメッセージを受信して前記留守電録音装置に録音させて前記中央制御部の処理は終了し、前記相手先の前記携帯電話機は前記留守電録音装置への予め定められた電話番号を発信し自己宛の前記メッセージの読み出しを要求すると、前記留守電録音装置から前記メッセージを送信した発信者の電話番号を受信して表示し、表示された前記発信者の電話番号に対応するメッセージを受信して聞くことができることを特徴とする。
【００１４】
【発明の実施の形態】
次に、本発明について図面を参照して説明する。
【００１５】
図１は本発明の第１の実施の形態の移動体通信システムを示すシステム構成図，図２は本第１の実施の形態における携帯電話機を示すブロック図，図３は図２に示す携帯電話機が有す着信履歴メモリの一例を示す図である。
【００１６】
図１において、発信者番号通知サービスを提供する本第１の実施の形態の移動体通信システムは、それぞれが独立したサービスエリアを持つ無線基地局２−１，２−２と、この無線基地局２−１，２−２のそれぞれのサービスエリア内で無線基地局２−１，２−２の無線による制御を受ける携帯電話機３−１，３−２，３−３と、無線基地局２−１，２−２と有線伝送路で接続しまた公衆話網（ＰＳＴＮ）４を介して固定電話機５に接続して内蔵する中央制御部１１の制御の基に通話路の接続処理を行う移動体通信交換局１と、移動体通信交換局１に接続し中央制御部１１が着信を検出し、且つ発信者番号通知を行うための予め定められたアクセス番号を受信した場合に発信者へ相手先の電話番号の入力を催促するための音声ガイダンスを送出する音声応答装置１２とを有する構成となっていて、着信を検出した移動体通信交換局１は、発信した携帯電話機または固定電話機５から音声応答装置１２によってのガイダンスによる相手先の電話番号を受信して、相手先との通話路を設定すると、相手先へ呼出音で報知させない予め定められた特殊呼出信号と発信した携帯電話機又は固定電話機の電話番号とを相手先の電話機又は携帯電話機へ送出する。
【００１７】
図２において、図１に示す本第１の実施の形態の移動体通信システム内の携帯電話機３−１，３−２，３−３を代表するものとしての携帯電話機３は、無線基地局２−１又は２−２とアンテナ３１を介して無線信号の送受信を行う無線部３２と、着信時に音声又はおよび光又はおよび振動による報知手段で報知する報知部３７と、発信時の相手電話番号の入力および報知手段の設定等を入力する入力部３８と、入力部３８から予め定められたアクセス番号の入力，及び音声応答装置１２からの催促による相手先の電話番号の入力における各番号の表示，並びに着信時の発信者の電話番号を表示する表示部３４と、この携帯電話機３を制御するプログラム等を格納している記憶部３５と、実時刻データを発生する時計部３９と、着信時に発信者電話番号を着信時刻順に順次記録する着信履歴メモリ３６と、記憶部３５に格納されている制御プログラムの基に携帯電話機３の全体の制御を行う制御部３４とを有している。
【００１８】
図３において、図２に示した携帯電話機３が有する着信履歴メモリ３６は、移動体通信交換局１からサービスエリアを管轄してる無線基地局を介して送られてくる発信者と電話番号を時計部３９からの着信時刻と共に制御部３３の制御の基に記録され、また、記録した発信者電話番号のそれぞれに対して応答したかどうかを（「応答済み」の場合は“０”で、「応答未定」の場合を“１”で応答欄に記録できる構成になっている。
【００１９】
尚、本第１の実施の形態における移動体通信交換局１が送出する特殊呼出信号は予め定められたビット数によるコード信号（例えば「１１００１１」）を含むフォーマットで構成されているか、又は予め定められた複数のＤＴＭＦ信号の組合せ（例えば「＃１２３４＃」）で構成されてあり、また、各携帯電話機３−１，３−２，３−３のそれぞれの制御部３３は、これらの特殊呼出信号を受信，解析して、検出する手段を有している。
【００２０】
図４は本第１の実施の形態における移動体通信交換局の着信処理の動作を示すフローチャート、図５は本第１の実施の形態における携帯電話機の着信処理の動作を示すフローチャートである。
【００２１】
次に、本第１の実施の形態における携帯電話機への着知方法について図１〜図５を参照して説明する。
【００２２】
本着信方法の説明においては、図１においては、固定電話機５が携帯電話機３−１へ発信した場合を一例として説明する。
【００２３】
図４において、移動体通信交換局１の中央制御部１１は、固定電話機５の公衆電話網（ＰＳＴＮ）４を介しての着信を検出し、着信音の報知をしないで発信者番号通知サービスの実行を要求する予め定められた第１のアクセス番号（例えば「０９０−３４５６−０００１」）を受信すると（Ｓ１１）、音声応答装置１２を接続し、ＰＳＴＮ４を介して固定電話機５に対して例えば、「先方の方を呼出し音によって呼出さないで発呼し、先方の携帯電話機にあたなの電話番号を表示すると共に着信履歴として残します。相手の電話番号を入力して下さい。」のガイダンスを送出する（Ｓ１２）。
【００２４】
固定電話機５から相手先の加入者番号を受信すると（この時ＰＳＴＮ４から固定電話機５の加入者番号も受信）（Ｓ１３）、無線基地局２−１，２−２に対してページ（呼出）信号を送出する（Ｓ１４）。
【００２５】
対象の携帯電話機（この場合は３−１）から無線基地局２−１を介してページ応答を受信すると（Ｓ１５）、無線基地局２−１を介して通話チャネルを割り当て（Ｓ１６）、指定チャネルロック信号（指定チャネルに移った確認の信号）を受信すると（Ｓ１７）、発信者電話番号の表示を行うことを示す予め定められた特殊呼出信号を送出後（Ｓ１８）、発信した固定電話機５の加入者番号を送出し（Ｓ１９）、移動体通信交換局１はこの着信処理を終了する。
【００２６】
一方、携帯電話機３−１では、図５に示すように、制御部３３は無線部３２から着信信号を受信すると（Ｓ２１）、その着信信号を解析して予め定められた特殊呼出信号であることを検出すると（Ｓ２２），報知部３７に対する音声による報知をしないで送られてくる受信者の加入者番号（発信者番号）を表示部３４に表示すると共に、着信履歴メモリ３６の受信者電話番号欄に固定電話機５の加入者番号を着信時刻欄に時計部３９からの時刻データを応答欄に“１”を記録して着信の処理を終了する。
【００２７】
以上示したように、本第１の実施の形態における携帯電話機３−１においては、固定電話機５からの着信を音声による呼出し報知をしないで、表示部３４に発信者の電話番号を表示すると共に着信履歴メモリ３６に記録するので、携帯電話機３−１の利用者は報知部３７に対しての着信音なしの呼出報知の設定をしなくても、着信時に発信者の電話番号の表示及び記録ができることで、安心して会議室や電車等に持込むことができる。
【００２８】
尚、図５に示すように、携帯電話機３−１で特殊呼出信号が検出されなかった場合には、発信者の電話番号は表示部３４に表示されるが（Ｓ２５）報知部３７に設定されている報知手段によって報知する（Ｓ３６）。
【００２９】
図６は本発明の第２の実施の形態の移動端末通信システムを示すシステム構成図、図７は本第２の実施の形態における移動体通信交換局の着信処理の動作を示すフローチャートである。
【００３０】
図６において、本第２の実施の形態の移動体通信システムにおいては、図１に示す第１の実施の形態の移動体通信システムと異なる点は、移動体通信交換局１ａに中央制御部１１ａを内蔵し、且つ留守電録音装置１３が接続されている。これ以外は第１の実施の形態と同一構成になっている。また本第２の実施の形態における携帯電話機３−１，３−２，３−３も図２に示す構成と同一であるので説明を省略する。
【００３１】
次に、本第２の実施の形態における移動体通信交換局１ａの着信処理の動作について、図６，図７を参照して説明する。
【００３２】
本着信処理の説明においては、図６において、固定電話機５が携帯電話機３−１の発信した場合について説明する。
【００３３】
図６において、移動体通信交換局１ａの中央制御部１１ａは、固定電話機５のＰＳＴＮ４を介して着信を検出し、メッセージ録音付きの発信者番号通知サービスの実行を要求する予め定められた第２のアクセス番号（例えば「０９０−３４５６−０００２」）を受信すると（Ｓ２１）、音声応答装置１２に接続し、「先方の方を呼出さないで伝言を残します。相手の電話番号を入力して下さい。」のガイダンスを行い第１の実施の形態における（Ｓ１２），（Ｓ１３）と同じ処理の（Ｓ２２），（Ｓ２３）の処理を行う。
【００３４】
その後、移動体通信交換局１ａは中央制御部１１ａの制御の基に留守電録音装置１３を接続し（Ｓ２４）、音声応答装置１２から録音開始のガイダンスを送出した後（Ｓ２５）、固定電話機５からの相手先の電話番号に続いて、メッセージを受信して録音（Ｓ２６）、相手先を呼出さないで、着信処理を終了する。
【００３５】
携帯電話３−１側では留守電録音装置１３に接続する予め定められた電話番号を適宜入力して発信し、留守電録音装置１３から自己への発信者の電話番号を受信して表示部３４に表示すると共に、その電話番号に対応するメッセージを開くことができる。
【００３６】
【発明の効果】
以上説明したように本発明は、それぞれが独立したサービスエリアを持つ複数の無線基地局と、この複数の無線基地局のそれぞれのサービスエリア内にあってそれぞれのサービスエリアを管轄する無線基地局の無線の制御を受ける複数の携帯電話機と、複数の無線基地局と有線伝送路で接続しまた公衆電話網を介して複数の固定電話機に接続して内蔵する中央制御部の制御の基に通話路の接続処理を行う移動体通信交換局とを備えて発信者番号サービスを提供する移動体通信システムにおいて、移動体通信交換局に接続して中央制御部が着信を検出し且つ発信者番号通知を行うための予め定められた第１のアクセス番号を受信した場合に発信者へ相手先の電話番号の入力を催促するための音声ガイダンスを送出する音声応答装置を有し、着信を検出した移動体通信交換局は発信者の携帯電話機又は固定電話機から音声応答装置のガイダンスによる相手先の電話番号を受信すると相手先への通話路を設定して相手先へ呼出音で報知させない予め定められた特殊呼出信号と発信者の電話番号とを送出することにより、
着信した携帯電話機は携帯電話機側で着信音なしによる着信報知の設定をしなくても、着信音なしで着信を受けるので、携帯電話機を会議室や電車内に持ち込んでも、他の人に迷惑をかけることがないという効果がある。
【００３７】
また、着信した発信者の電話番号は着信履歴メモリに記録されるのか、いつでも発信者へ電話をかけることができる効果がある。
【図面の簡単な説明】
【図１】本発明の第１の実施の形態の移動体通信システムを示すシステム構成図である。
【図２】本第１の実施の形態における携帯電話機を示すブロック図である。
【図３】図２に示す携帯電話機が有する着信履歴メモリの記憶の一例を示す図である。
【図４】本第１の実施の形態における移動体通信交換局の着信処理の動作を示すフローチャートである。
【図５】本第１の実施の形態における携帯電話機の着信処理の動作を示すフローチャートである。
【図６】本発明の第２の実施の形態の移動体通信システムを示すシステム構成図である。
【図７】本第２の実施の形態における移動体通信交換局の着信処理の動作を示すフローチャートである。
【図８】従来の移動体通信システムにおけるＰＨＳ携帯電話機を示すブロック図である。
【図９】図８に示したＰＨＳ携帯電話機における発信者番号表示モード処理例を示すフローチャートである。
【符号の説明】
１，１ａ    移動体通信交換局
２，２−１，２−２    無線基地局
３，３−１，３−２，３−３    携帯電話機
４    公衆電話網（ＰＳＴＮ）
５    固定電話機
１１，１１ａ    中央制御部
１２    音声応答装置
１３    留守電録音装置
３１    アンテナ
３２    無線部
３３    制御部
３４    表示部
３５    記憶部
３６    着信履歴メモリ
３７    報知部
３８    入力部
３９    時計部
【図１】
0003562430.tif 000002
【図２】
0003562430.tif 000003
【図３】
0003562430.tif 000004
【図４】
0003562430.tif 000005
【図５】
0003562430.tif 000006
【図６】
0003562430.tif 000007
【図７】
0003562430.tif 000008
【図８】
0003562430.tif 000009
【図９】
0003562430.tif 000010